(57)【要約】      （修正有）【課題】装置本体の組立工数を減少することにより、装置本体のコストを抑えた電子機器を提供する。【解決手段】コイル状に卷回されている多芯ケーブル４ａ、４ｂの両端にコネクタ５ａ、５ｂを接続している。この多芯ケーブルの一部をシャーシ３ａ、３ｂの切り欠きに引掛け保持させる。シャーシは、筐体内における取付位置の空間や取り付けられる基板のサイズや形状にあわせて切り欠き等が設けられている。多芯ケーブルはコイル状に卷回しているので引き伸ばすことができる。従って、基板に接続した多芯ケーブルを引き伸ばして、筐体内に設けられているシャーシの切り欠きに簡単に引掛けることができ、装置本体の組立工数を減少させて、装置本体のコストダウンを図ることができる。【選択図】  図１
2006049518.tif 000002
【特許請求の範囲】
【請求項１】
回路基板が筐体に設けたシャーシに取り付け、前記筐体内で前記回路基板の電気的接続にかかる配線を施したテレビ受像機において、
前記ケーブルは、コイル状に卷回したケーブルであり、その一部を前記シャーシまたは本体カバーの突起に引っ掛けているテレビ受像機。
【請求項２】
回路基板が筐体に設けたシャーシに取り付けられ、前記筐体内部で前記回路基板の電気的接続にかかる配線を施した電子機器において、
前記回路基板の電気的接続にかかる配線を用いたケーブルは、コイル状に卷回したケーブルであり、その一部を前記シャーシまたは本体カバーの突起に引っ掛けている電子機器。
【請求項３】
前記コイル状に卷回したケーブルは、ディジタル信号の接続に用いている請求項２に記載の電子機器。
【発明の詳細な説明】
【技術分野】
【０００１】
この発明は、回路基板が筐体に設けたシャーシに取り付けられ、前記筐体内部で前記回路基板の電気的接続にかかる配線を施したテレビ受像機及び電子機器に関する。
【背景技術】
【０００２】
従来、テレビ等の電子機器においては、筐体内に固定されている２つの物の間、例えば回路基板間や、回路基板と外部出力端子との間、を接続しているケーブルに対してこれらのケーブルが、発熱部品、シャープエッジ特に接触するのを避けるために、ワイヤタイを使用し、複数本のケーブルをまとめて筐体内の適当な位置に固定するクランプ処理を行っている。また、ケーブルで接続する２つの物の少なくとも一方が本体に対して動く可動部である場合、クランプ処理で筐体にケーブルを固定すると可動部を動かしたときにケーブルを切断してしまう。そこで、少なくとも一方が可動部である物の間をケーブルで接続する方法として、例えば特許文献１と特許文献２に記載されている方法が提案されている。特許文献１には、可動部である電子機器ユニットのスライド方向に２本のレールを平行に取り付け、各レールに長手方向に沿ってスライド自在にケーブル保持具を設け、このケーブル保持具の先端に形成したフックに、ケーブルを左右交互に引掛けることが記載されている。また、特許文献２には、一方が可動部である２部材間に配線する電線を螺旋状弾性部材に沿わせて支持することが記載されている。
【特許文献１】特開平８−５６０８３号公報
【特許文献２】実願昭５４−０６７１７７号（実開昭５５−１６７７２２号）のマイクロフィルム
【発明の開示】
【発明が解決しようとする課題】
【０００３】
しかしながら、筐体内に固定されている２つの物の間を接続するケーブルに対してクランプ処理を行うと、この作業に手間がかかり、その結果装置本体の組立工数が多くなって、本体の製造コストがかさむという問題がある。
【０００４】
この発明の目的は、装置本体の組立工数を減少することにより、装置本体のコストを抑えたテレビ受像機および電子機器を提供することを目的とする。
【課題を解決するための手段】
【０００５】
この発明は、上記課題を解決するために以下の構成を備えている。
（１）回路基板が筐体に設けたシャーシに取り付けられ、前記筐体内部で前記回路基板の電気的接続にかかる配線を施した電子機器において、
前記回路基板の電気的接続にかかる配線を用いたケーブルは、コイル状に卷回したケーブルであり、その一部を前記シャーシまたは本体カバーの突起に引っ掛けている。
【０００６】
この構成では、筐体内部における回路基板の電気的接続にかかるケーブルとしてコイル状に卷回したケーブルが用いられている。このケーブルはコイル状に卷回しているので、引き伸ばすことができる。このため、ケーブルを引き伸ばして、筐体内のシャーシや本体カバー等の突起に引っ掛けることで、ケーブルが簡単に固定できるケーブルを引っ掛ける突起は、発熱部品やシャーエッジ等に引っ掛けたケーブルが接触しない突起を選べばよい。これにより、ケーブルが発熱部品、シャープエッジ等に接触するのを避けることが出来る。また、ケーブルを引掛ける突起については、もともとある筐体内の突起等を利用すればよいので、ケーブルを引っ掛ける突起を作るための加工を行う必要もない。このようにクランプ処理を行わないで、ケーブルをシャーシ等の突起に引掛けるという簡単な作業でケーブルを固定できるので、装置本体の組立工数を減少させ、装置本体のコストを抑えることができる。
【０００７】
テレビ受像機、ＤＶＤプレイヤ、ＤＶＤレコーダ、ハードディスクレコーダ等様々な装置にこの発明が適用できる。
（２）前記コイル状に卷回したケーブルは、ディジタル信号の接続に用いている。
【０００８】
この構成では、ディジタル信号の接続にかかるケーブルを、コイル状に卷回したケーブルとしたので、このケーブルをコイル状に卷回したことにより生じるＬ成分の影響をほとんど受けることがなく、装置本体の信頼性を低下させない。
【発明の効果】
【０００９】
この発明によれば、ケーブルを引き伸ばしてシャーシや本体カバー等の突起に引掛けるという簡単な作業でケーブルが簡単に固定出来る。従って、装置本体の組立工数を減少させ、装置本体の製造コストが抑えらえる。その結果装置本体のコストダウンが図れる。
【発明を実施するための最良の形態】
【００１０】
以下、この発明の実施形態であるテレビ受像機について説明する。ここでは、ディジタル放送を受信できるいわゆるディジタルテレビを例にしている。
【００１１】
図１は、この発明の実施形態であるテレビ受像機の構造を説明する図である。この図１においては、以下のものを示している。
【００１２】
図１は、回路が形成されている基板２（２ａ、２ｂ、２ｃ）と、基板２ａ、２ｂを取り付けるシャーシ３ａと、基板２ｃを取り付けるシャーシ３ｂと、基板間を接続する多芯ケーブル４ａ，４ｂと、を図示している。
【００１３】
基板２ａ、２ｂ、２ｃには、音声処理や画像処理、等を行う回路が形成されている。基板２ａには多芯ケーブル４ａを接続するコネクタ５ａ、基板２ｂには多芯ケーブル４ｂを接続するコネクタ５ｂ、基板２ｃには多芯ケーブル４ａを接続するコネクタ５ｃおよび、多芯ケーブル４ｂを接続するコネクタ５ｄがそれぞれ取り付けられている。基板２ａ、２ｂはシャーシ３ａに、基板２ｃはシャーシ３ｂにネジ止めされている。シャーシ３ａには、一方の面に基板２ａ、他方の面に基板２ｂが取り付けられている。具体的には、図２（Ａ），（Ｂ）に示すようにシャーシ３ａの一方の面に基板２ａがネジ６でネジ止めされ、他方の面に基板２ｂがネジ止めされている。また、シャーシ３ｂの一方の面には図２（Ｃ）に示すように基板２ｃがネジ止めされている。基板２は、シャーシ３との間に図２（Ｄ）に示すようにスペーサ７を配置して取り付けている。
【００１４】
シャーシ３は、筐体内における取付位置の空間や取り付けられる基板２のサイズや形状にあわせて切り欠きが設けられている。多芯ケーブル４（４ａ，４ｂ）は図３（Ａ）に示すようにコイル状に卷回されている、多芯ケーブル４の先には、基板２のコネクタ５（５ａ、５ｂ、５ｃ、５ｄ）に接続するコネクタが取り付けられている。多芯ケーブル４を図３（Ｂ）、（Ｃ）に示すように、一部をシャーシ３ｂの切り欠きに引掛けている。テレビ受像機１は筐体内に、突起や窪みが多数あり、この中から、引っ掛けた多芯ケーブル４が発熱部品やシャープエッジ等にあたらない突起や窪みを選んで引っ掛けている。この多芯ケーブル４は、ディジタル信号の接続に用いている。
【００１５】
ここでテレビ受像機１の組立時における筐体内部の配線処理について説明する。
【００１６】
基板２ａ、２ｂをシャーシ３ａに取り付け、基板２ｃをシャーシ３ｂに取り付ける。そして、図４に示すように、筐体内の取付位置に基板２を取り付けたシャーシ３ａ、３ｂを取り付ける。
【００１７】
コイル状に卷回されている多芯ケーブル４ａを使って、多芯ケーブルの一端をコネクタ５ａにつなぎ，他方端をコネクタ５ｃにつなぎ、多芯ケーブル４ｂを使って、多芯ケーブルの一端をコネクタ５ｂにつなぎ、他方端を５ｄにつなぐ。多芯ケーブル４ａ，４ｂの一部をシャーシ３ｂの切り欠きに引掛け保持させる。シャーシ３ａ、３ｂは、筐体内における取付位置の空間や取り付けられる基板２のサイズや形状にあわせて切り欠き等が設けられている。多芯ケーブル４ａ、４ｂはコイル状に卷回しているので引き伸ばすことができる。従って、基板２に接続した多芯ケーブル４ａ、４ｂを引き伸ばして、筐体内に設けられているシャーシ３ｂの切り欠きに、引掛けることができる。シャーシ３ｂの切り欠きに引っ掛けた多芯ケーブル４は発熱部品やシャープエッジにあたらない。言い換えれば、多芯ケーブル４は引っ掛けた多芯ケーブル４が発熱部品やシャープエッジにあたらない位置に形成されている切り欠きや窪みを選んで引っ掛けている。従って、多芯ケーブルが発熱部品、シャープエッジ等に接触するのを避けることが出来る。シャーシ３ａ、３ｂは、筐体内における取付位置の空間や取り付けられる基板２のサイズや形状にあわせて切り欠きが設けられている。そのため多芯ケーブル４を引掛けることができる突起や窪みについては筐体内に多くあるので、特別に多芯ケーブル４を引っ掛ける突起や窪みを作るための加工をしなくても良い。このように多芯ケーブルの固定が、クランプ処理を行わないで、多芯ケーブル４を引き伸ばしてシャーシ等の突起や窪みに引掛けるという簡単な作業で行えるので、装置本体の組立工数を減少できる。従って、装置本体の製造コストを抑え、その結果装置本体のコストダウンを図ることができる。
【００１８】
また。コイル状に卷回した多芯ケーブル４は、ディジタル信号の接続に用いているのでコイル状に卷回したことにより生じるＬ成分の影響をほとんど受けることがなく、装置本体の信頼性を低下させることがない
なお、この実施形態ではテレビ受像機を例に本願発明の説明を行ったが、ＤＶＤプレイヤ
、ＤＶＤレコーダ、ハードディスクレコーダ等の他の電子機器にも適用することができる。
【図面の簡単な説明】
【００１９】
【図１】この発明の実施形態であるテレビ受像機の構造を説明する図である。
【図２】シャーシに基板がネジ止めされている状態を説明する図である。
【図３】多芯ケーブル、およびこの多芯ケーブルの固定方法を説明する図である。
【図４】この発明の実施形態であるテレビ受像機の製造工程を説明する図である。
【符号の説明】
【００２０】
１−テレビ受像機
２−基板
３−シャーシ
４−多芯ケーブル
５−コネクタ
６−ネジ
７−スペーサ
【図１】
2006049518.tif 000003
【図２】
2006049518.tif 000004
【図３】
2006049518.tif 000005
【図４】
2006049518.tif 000006